【手続補正書】
【提出日】平成18年12月6日(2006.12.6)
【手続補正１】
【補正対象書類名】明細書
【補正対象項目名】発明の名称
【補正方法】変更
【補正の内容】
【発明の名称】プリント装置およびプリント方法
【手続補正２】
【補正対象書類名】明細書
【補正対象項目名】特許請求の範囲
【補正方法】変更
【補正の内容】
【特許請求の範囲】
【請求項１】  外部装置からページ記述言語にて記述されたＰＤＬデータを受信する受信手段と、
前記受信手段が受信したＰＤＬデータを展開処理してプリントデータを生成する展開手段であって、前記展開処理を実行するためのＣＰＵを有する展開手段と、
前記受信手段が受信したＰＤＬデータに基づいて、前記ＣＰＵを動作させるクロックの周波数を設定する設定手段と、
前記展開手段が生成したプリントデータに基づいてプリント処理を実行するプリント手段と、
を有することを特徴とするプリント装置。
【請求項２】  前記設定手段による前記周波数の設定は、ＰＬＬを用いてシステムクロックに対する逓倍数を変えることにより行われることを特徴とする請求項１に記載のプリント装置。
【請求項３】  前記設定手段が設定する周波数に基づいて、前記展開処理と他の動作を同時に行なうか否かを制御する制御手段を有することを特徴とする請求項１または２に記載のプリント装置。
【請求項４】  前記制御手段は、前記展開処理と前記他の動作を同時に行なわない場合に、前記プリント装置のユーザが操作可能な操作部上で前記他の動作の実行を指示できないように制御することを特徴とする請求項３に記載のプリント装置。
【請求項５】  前記設定手段は、前記受信手段が受信したＰＤＬデータのデータ量に基づいて前記周波数を設定することを特徴とする請求項１ないし４のいずれかに記載のプリント装置。
【請求項６】  前記受信手段が受信したＰＤＬデータの種別を認識する認識手段を有し、
前記設定手段は、前記認識手段の認識結果に基づいて前記周波数を設定することを特徴とする請求項１ないし５のいずれかに記載のプリント装置。
【請求項７】  原稿画像を読み取ってプリントデータを入力する入力手段を有し、
前記他の動作は、前記入力手段が前記プリントデータを入力する動作であることを特徴とする請求項３または４に記載のプリント装置。
【請求項８】  プリント装置におけるプリント方法であって、
外部装置からページ記述言語にて記述されたＰＤＬデータを受信する受信ステップと、
前記受信ステップが受信したＰＤＬデータを展開処理してプリントデータを生成する展開ステップであって、前記展開処理をＣＰＵにより実行する展開ステップと、
前記受信ステップが受信したＰＤＬデータに基づいて、前記ＣＰＵを動作させるクロックの周波数を設定する設定ステップと、
前記展開ステップが生成したプリントデータに基づいてプリント処理を実行するプリントステップと、
を有することを特徴とするプリント方法。
【請求項９】  前記設定ステップによる前記周波数の設定は、ＰＬＬを用いてシステムクロックに対する逓倍数を変えることにより行われることを特徴とする請求項８に記載のプリント方法。
【請求項１０】  前記設定ステップが設定する周波数に基づいて、前記展開処理と他の動作を同時に行なうか否かを制御する制御ステップを有することを特徴とする請求項８または９に記載のプリント方法。
【請求項１１】  前記制御ステップは、前記展開処理と前記他の動作を同時に行なわない場合に、前記プリント装置のユーザが操作可能な操作部上で前記他の動作の実行を指示できないように制御することを特徴とする請求項１０に記載のプリント方法。
【請求項１２】  前記受信ステップが受信したＰＤＬデータのデータ量に基づいて前記周波数を設定することを特徴とする請求項８ないし１１のいずれかに記載のプリント方法。
【請求項１３】  前記受信ステップが受信したＰＤＬデータの種別を認識する認識ステップを有し、
前記設定ステップは、前記認識ステップの認識結果に基づいて前記周波数を設定することを特徴とする請求項８ないし１２のいずれかに記載のプリント方法。
【請求項１４】  原稿画像を読み取ってプリントデータを入力する入力ステップを有し、
前記他の動作は、前記入力ステップが前記プリントデータを入力する動作であることを特徴とする請求項１０または１１に記載のプリント方法。
【手続補正３】
【補正対象書類名】明細書
【補正対象項目名】０００１
【補正方法】変更
【補正の内容】
【０００１】
【発明の属する技術分野】
本発明は、特にＰＤＬ（ページ記述言語）プリント及び複数ジョブ（ジョブ）の同時動作が可能なネットワーク機器、デジタル複写機等からなるプリント装置およびプリント方法に関する。
【手続補正４】
【補正対象書類名】明細書
【補正対象項目名】０００５
【補正方法】変更
【補正の内容】
【０００５】
本発明は、上述の点に鑑みてなされたもので、その目的は、基準内の消費電力でＰＤＬパフォーマンス（ＣＰＵのコア周波数）と他のジョブとの同時動作のいずれに重点を置くかを自動的に制御することができるプリント装置およびプリント方法を提供することにある。
【手続補正５】
【補正対象書類名】明細書
【補正対象項目名】０００６
【補正方法】変更
【補正の内容】
【０００６】
【課題を解決するための手段】
上記目的を達成するため、請求項１のプリント装置の発明は、外部装置からページ記述言語にて記述されたＰＤＬデータを受信する受信手段と、前記受信手段が受信したＰＤＬデータを展開処理してプリントデータを生成する展開手段であって、前記展開処理を実行するためのＣＰＵを有する展開手段と、前記受信手段が受信したＰＤＬデータに基づいて、前記ＣＰＵを動作させるクロックの周波数を設定する設定手段と、前記展開手段が生成したプリントデータに基づいてプリント処理を実行するプリント手段と、を有することを特徴とする。
【手続補正６】
【補正対象書類名】明細書
【補正対象項目名】０００７
【補正方法】変更
【補正の内容】
【０００７】
ここで、好ましくは、前記設定手段による前記周波数の設定は、ＰＬＬを用いてシステムクロックに対する逓倍数を変えることにより行われる。
【手続補正７】
【補正対象書類名】明細書
【補正対象項目名】０００８
【補正方法】変更
【補正の内容】
【０００８】
また、好ましくは、前記設定手段が設定する周波数に基づいて、前記展開処理と他の動作を同時に行なうか否かを制御する制御手段を有する。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】変更
【補正の内容】
【００１２】
また、好ましくは、前記制御手段は、前記展開処理と前記他の動作を同時に行なわない場合に、前記プリント装置のユーザが操作可能な操作部上で前記他の動作の実行を指示できないように制御する。
【手続補正１２】
【補正対象書類名】明細書
【補正対象項目名】００１３
【補正方法】変更
【補正の内容】
【００１３】
また、好ましくは、前記設定手段は、前記受信手段が受信したＰＤＬデータのデータ量に基づいて前記周波数を設定する。
【手続補正１３】
【補正対象書類名】明細書
【補正対象項目名】００１４
【補正方法】変更
【補正の内容】
【００１４】
また、好ましくは、前記受信手段が受信したＰＤＬデータの種別を認識する認識手段を有し、前記設定手段は、前記認識手段の認識結果に基づいて前記周波数を設定する。
【手続補正１４】
【補正対象書類名】明細書
【補正対象項目名】００１５
【補正方法】変更
【補正の内容】
【００１５】
また、好ましくは、原稿画像を読み取ってプリントデータを入力する入力手段を有し、前記他の動作は、前記入力手段が前記プリントデータを入力する動作である。
【手続補正１５】
【補正対象書類名】明細書
【補正対象項目名】００１６
【補正方法】変更
【補正の内容】
【００１６】
上記目的を達成するため、請求項８の発明は、プリント装置におけるプリント方法であって、外部装置からページ記述言語にて記述されたＰＤＬデータを受信する受信ステップと、前記受信ステップが受信したＰＤＬデータを展開処理してプリントデータを生成する展開ステップであって、前記展開処理をＣＰＵにより実行する展開ステップと、前記受信ステップが受信したＰＤＬデータに基づいて、前記ＣＰＵを動作させるクロックの周波数を設定する設定ステップと、前記展開ステップが生成したプリントデータに基づいてプリント処理を実行するプリントステップと、を有することを特徴とする。
【手続補正１６】
【補正対象書類名】明細書
【補正対象項目名】００１７
【補正方法】変更
【補正の内容】
【００１７】
ここで、好ましくは、前記設定ステップによる前記周波数の設定は、ＰＬＬを用いてシステムクロックに対する逓倍数を変えることにより行われる。
【手続補正１７】
【補正対象書類名】明細書
【補正対象項目名】００１８
【補正方法】変更
【補正の内容】
【００１８】
また、好ましくは、前記設定ステップが設定する周波数に基づいて、前記展開処理と他の動作を同時に行なうか否かを制御する制御ステップを有する。
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】変更
【補正の内容】
【００２２】
また、好ましくは、前記制御ステップは、前記展開処理と前記他の動作を同時に行なわない場合に、前記プリント装置のユーザが操作可能な操作部上で前記他の動作の実行を指示できないように制御する。
【手続補正２２】
【補正対象書類名】明細書
【補正対象項目名】００２３
【補正方法】変更
【補正の内容】
【００２３】
また、好ましくは、前記受信ステップが受信したＰＤＬデータのデータ量に基づいて前記周波数を設定する。
【手続補正２３】
【補正対象書類名】明細書
【補正対象項目名】００２４
【補正方法】変更
【補正の内容】
【００２４】
また、好ましくは、前記受信ステップが受信したＰＤＬデータの種別を認識する認識ステップを有し、前記設定ステップは、前記認識ステップの認識結果に基づいて前記周波数を設定する。
【手続補正２４】
【補正対象書類名】明細書
【補正対象項目名】００２５
【補正方法】変更
【補正の内容】
【００２５】
また、好ましくは、原稿画像を読み取ってプリントデータを入力する入力ステップを有し、前記他の動作は、前記入力ステップが前記プリントデータを入力する動作である。
【手続補正２５】
【補正対象書類名】明細書
【補正対象項目名】０１３７
【補正方法】変更
【補正の内容】
【０１３７】
【発明の効果】
以上説明したように、本発明によれば、ＰＤＬデータに応じた適切な周波数で、ＰＤＬデータの展開処理を実行するＣＰＵを動作させることができるプリント装置及びプリント方法を提供することができる。
【手続補正２６】
【補正対象書類名】明細書
【補正対象項目名】０１３８
【補正方法】削除
【補正の内容】